(57)【要約】【課題】密閉容器の内部に設置した気体吸着デバイスを構成する気体難透過性容器の開封の判断を容易に行う。【解決手段】開封手段は、気体吸着材２を密封した気体難透過性容器３に向かう方向の外力を頭部５に受けて針部４が気体難透過性容器３に孔を開け、保護部材８は、針部４の先端が密閉容器７に損傷を与えるのを防いでいる。頭部５と保護部材８の両方がそれぞれ密閉容器７の壁に接触した状態にして、密閉容器７の壁を介して頭部５に針部４と保護部材８との間隔が変化する方向の振動を加えた時に、針部４が気体難透過性容器３の相対向する略扁平な２面に正常に孔をあけていれば、頭部５に加えられた振動が、針部４から直接保護部材８に伝わり、保護部材８に伝わった振動が、保護部材８と接触する密閉容器７の壁に伝わるように構成している。そのため、伝播する振動の強度から開封を判断できる。【選択図】図２
2012188126.tif 000002
【特許請求の範囲】
【請求項１】
気体吸着デバイスを密閉容器内に内包した気体吸着デバイス適用物品であって、前記気体吸着デバイスは、相対向する略扁平な２面を有し気体吸着材を密封する気体難透過性容器と、前記略扁平な２面の間隔より長い先端が尖った針部と前記針部より外径が大きい頭部とを有し前記略扁平な２面のうちの一方の面側の前記気体難透過性容器の外側に配置され前記頭部に前記気体難透過性容器に向かう方向の外力を受けて前記針部が前記密閉容器と前記気体難透過性容器の周囲の空間とを連通させる孔をあける硬質の開封手段と、前記針部の先端が前記密閉容器に損傷を与えないように前記略扁平な２面のうちの他方の面側の前記気体難透過性容器の殻に設けられた硬質の保護部材とを有し、前記頭部と前記保護部材の両方を、それぞれ前記密閉容器の壁に接触させることが可能であり、前記頭部と前記保護部材の両方がそれぞれ前記密閉容器の壁に接触した状態にして、前記密閉容器の壁を介して前記頭部に前記針部と前記保護部材との間隔が変化する方向の振動を加えた時に、前記針部が前記気体難透過性容器の相対向する略扁平な２面に正常に孔をあけていれば、前記頭部に加えられた振動が、前記針部から直接前記保護部材に伝わり、前記保護部材に伝わった振動が、前記保護部材と接触する前記密閉容器の壁に伝わるように構成したことを特徴とする気体吸着デバイス適用物品。
【請求項２】
気体難透過性容器が、少なくともアルミニウムが主成分である金属またはアルミニウムの箔の層を有するプラスチックラミネートフィルムであることを特徴とする請求項１に記載の気体吸着デバイス適用物品。
【発明の詳細な説明】
【技術分野】
【０００１】
本発明は、気体吸着デバイスを適用することにより、密閉容器内を真空にして機能を発揮することができる気体吸着デバイス適用物品に関するものである。
【背景技術】
【０００２】
近年、医薬品や酸素に接触すると品位が低下してしまう物品の品質を保持するため、これらの物品を、酸素が除去された環境に保持することが試みられている。
【０００３】
酸素が除去された環境を実現するためには、酸素および水蒸気バリア層の内側に、ポリオレフィンに金属化合物を混合し、加熱溶融成形した酸素吸収樹脂層を有し、最内層にヒートシール層からなる医薬品包装用フィルムで被うことが試みられてきた（例えば特許文献１参照）。
【０００４】
また、食品の保鮮を目的とした、合成ゼオライトと金属酸化物からなるエチレンガス吸収剤が、樹脂に対し５から９５部添加されていることを特徴とするエチレンガス吸収組成物が提案されている（例えば特許文献２参照）。
【０００５】
また、アンモニアや、硫化水素を吸着することを目的として、ゼオライト系吸着剤を１−５０重量％配合した合成樹脂をフィルム状に押出したのち、延伸することを特徴としたフィルム状気体吸着剤が提案されている（例えば特許文献３参照）。
【先行技術文献】
【特許文献】
【０００６】
【特許文献１】特開平６−２１０８０２号公報
【特許文献２】特開平２−９９１３９号公報
【特許文献３】特開昭６３−２５６１３３号公報
【発明の概要】
【発明が解決しようとする課題】
【０００７】
しかしながら、特許文献１に記載の方法では、使用時まで大気中では周囲の酸素を吸着しないことと、医薬品や、酸素に接触すると品位が低下してしまう物品と共に容器に封入した後に、周囲の酸素を吸着させるようにすることを両立することができない。
【０００８】
酸素を吸着するための吸着材の酸素吸着速度が小さい場合は、大気に曝される時間が特別長く無い場合に限り、特に問題にはならないが、酸素を吸着するための吸着材の酸素吸着速度が大きい場合は、大気に曝される時間が短い場合であっても酸素を吸着するための吸着材が周囲の空気を大量に吸着して、使用時に、本来目的とする気体の吸着量が低減してしまう。
【０００９】
しかし、次に示す事情により、酸素を吸着するための吸着材の吸着速度は大きいことが必要となる。即ち、医薬品や、酸素に接触すると品位が低下してしまう物品の劣化を防ぐためには、より吸着平衡圧が小さい吸着材を用いる必要がある。
【００１０】
一般に、吸着平衡圧が小さい吸着材は活性が高く、吸着速度が大きいため、医薬品や、酸素に接触すると品位が低下してしまう物品と共に封入するまでの劣化が大きくなる。
【００１１】
そこで、吸着材は予め気体難透過性容器に封入しておき、保存時や医薬品や、酸素に接
触すると品位が低下してしまう物品と共に容器に封入する際に大気との接触による気体の吸着を抑制し、医薬品や、酸素に接触すると品位が低下してしまう物品と共に容器に封入後、気体難透過性容器に通気性を持たせることが有効である。
【００１２】
しかし、気体難透過性容器に通気性を持たせるためには貫通孔を形成する必要があるが、容器の外部からは貫通孔の形成の確認が困難であるという課題がある。
【００１３】
本発明は、上記従来の課題を解決するもので、密閉容器の内部に設置した気体吸着デバイスを構成する気体難透過性容器の開封の判断を容易に行うことを目的とする。
【課題を解決するための手段】
【００１４】
上記目的を達成するために、本発明は、気体吸着デバイスを密閉容器内に内包した気体吸着デバイス適用物品であって、前記気体吸着デバイスは、相対向する略扁平な２面を有する気体難透過性容器に気体吸着材を密封している。
【００１５】
さらに、前記気体吸着デバイスは、前記略扁平な２面のうちの一方の面側の前記気体難透過性容器の外側に配置されて前記密閉容器と前記気体難透過性容器の周囲の空間とを連通させる孔をあける硬質の開封手段と、前記開封手段が前記密閉容器に損傷を与えないように前記略扁平な２面のうちの他方の面側の前記気体難透過性容器の殻に設けられた硬質の保護部材とを有する。
【００１６】
なお、前記開封手段は、前記略扁平な２面の間隔より長い先端が尖った針部と前記針部より外径が大きい頭部とを有し、前記頭部に前記気体難透過性容器に向かう方向の外力を受けて前記針部が前記気体難透過性容器に孔をあけるように構成されている。
【００１７】
そして、前記気体吸着デバイス適用物品は、前記開封手段の前記頭部と前記保護部材の両方を、それぞれ前記密閉容器の壁に接触させることが可能であり、前記頭部と前記保護部材の両方がそれぞれ前記密閉容器の壁に接触した状態にして、前記密閉容器の壁を介して前記頭部に前記針部と前記保護部材との間隔が変化する方向の振動を加えた時に、前記針部が前記気体難透過性容器の相対向する略扁平な２面に正常に孔をあけていれば、前記頭部に加えられた振動が、前記針部から直接前記保護部材に伝わり、前記保護部材に伝わった振動が、前記保護部材と接触する前記密閉容器の壁に伝わるように構成している。
【００１８】
上記構成において、開封手段の針部が気体難透過性容器の略扁平な２面のうちの２面ともに孔を開けていれば、密閉容器の壁を介して頭部に針部と保護部材との間隔が変化する方向の振動を加えた時に、頭部に加えられた振動が針部から直接保護部材に伝わるため、頭部に加えた振動は、保護部材と接触する密閉容器の壁に十分伝わる。
【００１９】
しかし、開封手段の針部が気体難透過性容器の略扁平な２面のうちの保護部材と接触する側の面に孔を開けていなければ、頭部に加えられた振動が針部から直接保護部材に伝わらないため、頭部に加えた振動は、保護部材と接触する密閉容器の壁にほとんど伝わらない。
【００２０】
したがって、密閉容器の壁を介して頭部に針部と保護部材との間隔が変化する方向の振動を加えた時に、頭部に加えた振動が保護部材と接触する密閉容器の壁に、どの程度伝わったか（伝わった振動が正常値と一致するか）検査することにより、気体難透過性容器の開封の判断を容易に行うことができる。
【発明の効果】
【００２１】
本発明によれば、気体難透過性容器の開封の判断を容易に行うことができる。
【図面の簡単な説明】
【００２２】
【図１】本発明の気体吸着デバイス適用物品の実施の形態１の医薬品保管容器の密閉前の状態を示す概略断面図
【図２】本発明の気体吸着デバイス適用物品の実施の形態１の医薬品保管容器の気体吸着デバイス開封状態を示す概略断面図
【発明を実施するための形態】
【００２３】
第１の発明は、気体吸着デバイスを密閉容器内に内包した気体吸着デバイス適用物品であって、前記気体吸着デバイスは、相対向する略扁平な２面を有し気体吸着材を密封する気体難透過性容器と、前記略扁平な２面の間隔より長い先端が尖った針部と前記針部より外径が大きい頭部とを有し前記略扁平な２面のうちの一方の面側の前記気体難透過性容器の外側に配置され前記頭部に前記気体難透過性容器に向かう方向の外力を受けて前記針部が前記密閉容器と前記気体難透過性容器の周囲の空間とを連通させる孔をあける硬質の開封手段と、前記針部の先端が前記密閉容器に損傷を与えないように前記略扁平な２面のうちの他方の面側の前記気体難透過性容器の殻に設けられた硬質の保護部材とを有し、前記頭部と前記保護部材の両方を、それぞれ前記密閉容器の壁に接触させることが可能であり、前記頭部と前記保護部材の両方がそれぞれ前記密閉容器の壁に接触した状態にして、前記密閉容器の壁を介して前記頭部に前記針部と前記保護部材との間隔が変化する方向の振動を加えた時に、前記針部が前記気体難透過性容器の相対向する略扁平な２面に正常に孔をあけていれば、前記頭部に加えられた振動が、前記針部から直接前記保護部材に伝わり、前記保護部材に伝わった振動が、前記保護部材と接触する前記密閉容器の壁に伝わるように構成したことを特徴とする。
【００２４】
上記構成において、開封手段の針部が気体難透過性容器の略扁平な２面のうちの２面ともに孔を開けていれば、密閉容器の壁を介して頭部に針部と保護部材との間隔が変化する方向の振動を加えた時に、頭部に加えられた振動が針部から直接保護部材に伝わるため、頭部に加えた振動は、保護部材と接触する密閉容器の壁に十分伝わる。
【００２５】
しかし、開封手段の針部が気体難透過性容器の略扁平な２面のうちの保護部材と接触する側の面に孔を開けていなければ、頭部に加えられた振動が針部から直接保護部材に伝わらないため、頭部に加えた振動は、保護部材と接触する密閉容器の壁にほとんど伝わらない。
【００２６】
したがって、密閉容器の壁を介して頭部に針部と保護部材との間隔が変化する方向の振動を加えた時に、頭部に加えた振動が保護部材と接触する密閉容器の壁に、どの程度伝わったか（伝わった振動が正常値と一致するか）検査することにより、気体難透過性容器の開封の判断を容易に行うことができる。
【００２７】
医薬品や実験材料等、僅かな酸素や窒素などの気体に曝されても劣化するものを保存するためには、これらの気体が高度に除去された環境に置く必要がある。
【００２８】
気体が高度に除去された環境は、高活性な気体吸着材を、医薬品や、実験材料など、僅かな酸素や窒素などの気体に曝されても劣化するものを保存する密閉容器内に設置することで実現できる。
【００２９】
しかし、高活性な気体吸着材は大気中で取り扱うと、酸素や窒素を吸着してしまい、その吸着特性が低下してしまう。
【００３０】
そこで、大気中で取り扱うことによる気体吸着材の劣化は、予め気体吸着材を気体難透
過性容器に封入しておくことで防ぐことができる。
【００３１】
一方、気体吸着材により、医薬品や実験材料など、僅かな酸素や窒素などの気体に曝されても劣化するものを保存する密閉容器内の気体を吸着するためには、気体難透過性容器に通気性を付与する必要がある。更に、気体難透過性容器への通気性の付与は、密閉容器の外部から確認する必要がある。
【００３２】
本構成により、気体難透過性容器への通気性の付与が密閉容器の外部から確認することができる。以下、この方法を示す。
【００３３】
密閉容器内に気体吸着材を内包する気体難透過性容器が収納され、前記気体難透過性容器には先端が尖った針部により、相対向する略扁平な２面を有する前記密閉容器と前記気体難透過性容器の周囲の空間とを連通させる孔（貫通孔）をあける硬質の開封手段を有する。
【００３４】
前記硬質の開封手段は密閉容器の一面方向から、針部より外径が大きい頭部を押下して、針部が前記気体難透過性容器を介して保護板との距離が縮まる方向の力を与えることにより、気体難透過性容器に貫通孔を形成することができる。このようにして、気体吸着材により前記密閉容器内の気体を吸着することができる。
【００３５】
次に、略扁平な２面のうちの他方の面側の前記気体難透過性容器の殻に硬質の保護部材が設けられているため、前記針部が気体難透過性容器の他方の側付近で止まるため、密閉容器の他方の面に損傷を与えることが無い。
【００３６】
この状態で前記頭部と前記保護部材の両方を、それぞれ前記密閉容器の壁に接触させることが可能であるため、前記密閉容器の略扁平な２面の一方の面、前記針部の頭部、前記針部、前記保護部材、前記密閉容器の略扁平な２面の他方の面の順に硬質の部材で連続することができる。
【００３７】
この状態、即ち、気体難透過性容器に貫通孔が形成されている状態で、前記密閉容器の略扁平な２面の一方の面に振動を加えると、振動は略扁平な２面の他方の面に減衰が少なく伝導するため、略扁平な２面の他方の面からは、前記密閉容器の略扁平な２面の一方の面に振加えた振動とほぼ同等の強度の振動が検出される。
【００３８】
一方、気体難透過性容器に貫通孔が形成されていない状態では、前記密閉容器の略扁平な２面の一方の面、前記針部の頭部、前記針部、前記気体吸着材、前記保護部材、前記密閉容器の略扁平な２面の他方の面の順に連続する。
【００３９】
この状態で、密閉容器の略扁平な２面の一方の面に振動を加えると、この振動は前記気体吸着材で大きく減衰するため、略扁平な２面の他方の面からは、前記密閉容器の略扁平な２面の一方の面に振加えた振動から大幅に低減した強度の振動が検出される。
【００４０】
以上の様に、略扁平な２面の一方の面に加えた振動と、略扁平な２面の他方の面から検出される振動の強度比により、気体難透過性容器の貫通孔の形成の有無を判断することができる。
【００４１】
その結果、気体吸着材を密封した気体難透過性容器に確実に貫通孔を形成できたことを確認できるため、僅かな気体であっても劣化してしまう医薬品、食品、試料等の劣化を低く抑えて保存することができる。
【００４２】
第２の発明は、特に第１の発明の気体難透過性容器が、少なくともアルミニウムが主成分である金属、またはアルミニウム箔の層を有するプラスチックラミネートフィルムであることを特徴とする。
【００４３】
本構成により、次の効果が得られる。
【００４４】
アルミニウムが主成分である金属から形成された気体難透過性容器は、優れた気体遮断性を有すると共に、優れた耐熱性を有する。
【００４５】
従って、気体吸着材の気体吸着特性を付与するために熱処理が必要な場合、予め気体吸着材を充填してから熱処理を行うことが可能となり、気体吸着デバイス作製の工程を簡易にすることが可能であり、安価に気体吸着デバイスを得る事ができる。
【００４６】
アルミニウムが主成分である金属またはアルミニウムの箔の層を有するプラスチックラミネートフィルムは、十分な気体遮断性を有するため、収容物を気体から保護することに適しており、柔軟であるため取り扱い性にも優れており、熱溶着により真空中で封止することができるという特徴を有している。
【００４７】
従って、気体吸着材を気体難透過性容器に比較的容易に封入できるため、気体吸着材の劣化を低く抑えることができる。
【００４８】
また、軟質であるため、針部が気体難透過性容器を介して保護板との距離が縮まる方向の力を与えることにより、気体難透過性容器に簡易な方法で貫通孔を形成することができる。
【００４９】
一方、アルミニウムの箔の層を有するプラスチックラミネートフィルムは、アルミニウムを主成分とする金属から形成される気体難透過性容器と同等の気体遮断性を有すると共に、工業的に大量に利用されており安価であることから、安価に気体吸着デバイスを得る事ができる。
【００５０】
以下、本発明の気体吸着デバイス適用物品の実施の形態について図面を参照しながら説明する。なお、この実施の形態によって本発明が限定されるものではない。
【００５１】
（実施の形態１）
図１は、本発明の気体吸着デバイス適用物品の実施の形態１の医薬品保管容器の密閉前の状態を示す概略断面図である。図２は、本発明の気体吸着デバイス適用物品の実施の形態１の医薬品保管容器の気体吸着デバイス開封状態を示す概略断面図である。
【００５２】
図１、図２において、医薬品保管容器１０は気体吸着デバイス１を密閉容器７内に内包した気体吸着デバイス適用物品であり、気体吸着デバイス１は、相対向する略扁平な２面を有する気体難透過性容器３に気体吸着材２を密封している。
【００５３】
さらに、気体吸着デバイス１は、略扁平な２面のうちの一方の面側の気体難透過性容器３の外側に配置されて密閉容器７と気体難透過性容器３の周囲の空間とを連通させる孔をあける硬質の開封手段と、この開封手段が密閉容器７に損傷を与えないように略扁平な２面のうちの他方の面側の気体難透過性容器３の殻に設けられた硬質の保護部材８とを有する。
【００５４】
ここで開封手段は、略扁平な２面の間隔より長い先端が尖った針部４と針部４より外径が大きい頭部５とを有し、頭部５に気体難透過性容器３に向かう方向の外力を受けて針部
４が気体難透過性容器３に孔をあけるように構成されており、保護部材８は、針部４の先端が密閉容器７に損傷を与えないように構成されている。また、頭部５と保護部材８の両方を、それぞれ密閉容器７の壁に接触させることが可能である。
【００５５】
そして、頭部５と保護部材８の両方がそれぞれ密閉容器７の壁に接触した状態にして、密閉容器７の壁を介して頭部５に針部４と保護部材８との間隔が変化する方向の振動を加えた時に、針部４が気体難透過性容器３の相対向する略扁平な２面に正常に孔をあけていれば、頭部５に加えられた振動が、針部４から直接保護部材８に伝わり、保護部材８に伝わった振動が、保護部材８と接触する密閉容器７の壁に伝わるように構成している。
【００５６】
更に、密閉容器７内に、アルミニウム板により形成された箱状の医薬品保管部９が収納されている。
【００５７】
医薬品保管容器１０は、上記各構成要素を予め三方をシールして袋状にしたラミネートフィルムで構成される密閉容器７に収納後、真空中でラミネートフィルムの残りの一辺を封止することにより作製されている。
【００５８】
気体吸着材２は、予め別工程で真空中で所定の条件で熱処理し、吸着気体の脱離及び吸着活性の付与処理が施され、気体難透過性容器３に封入されたものであり、気体難透過性容器３は、ポリエチレンテレフタレートフィルム、アルミニウム箔、低密度ポリエチレンフィルムの順にラミネートされており、低密度ポリエチレンフィルムを内側に相対向し、熱溶着したものである。
【００５９】
開封手段は、針部４と頭部５を鉄により一体成形されたものであり、保護部材８は円形であり鉄により成形されている。
【００６０】
密閉容器７を形成する２面のプラスチックラミネートフィルムは同一構成であり、ナイロンフィルム、アルミニウム箔、低密度ポリエチレンフィルムの順にラミネートされており、低密度ポリエチレンフィルムを内側に相対向し、熱溶着して密閉容器７を形成している。
【００６１】
以下、本実施の形態の気体吸着デバイス１の動作を説明する。
【００６２】
気体吸着材２は、略真空下で所定の条件で熱処理された後、気体難透過性容器３内に所定の真空度で減圧密封されており、密閉容器７に収納して開封手段で気体難透過性容器３に孔があけられるまでは劣化はない。
【００６３】
各構成要素を、密閉容器７を構成する予め三方をシールしたプラスチックラミネートフィルムの袋の開口部から収容後、真空包装機に設置して１０００Ｐａまで減圧後、残りの一辺を熱溶着により封止することより作製した。
【００６４】
真空包装機から取り出した後、プラスチックラミネートフィルムの頭部５に接触している部分と、プラスチックラミネートフィルムの保護部材８に接触している部分が互いに近くなる方向に力を加えると、針部４の先端６は気体難透過性容器３を構成するプラスチックラミネートフィルムの一方のプラスチックフィルムを貫通する。
【００６５】
更に力を加えると、先端６は気体難透過性容器３を構成するプラスチックラミネートフィルムの他方に接触する。この部分は、保護部材８に接触しており、保護部材８は密閉容器７を構成するプラスチックラミネートフィルムのもう一方に接触した。
【００６６】
この状態で密閉容器７を構成するプラスチックラミネートフィルムの頭部５が接触している部分に、頭部５に針部４と保護部材８との間隔が変化する方向に圧電素子により振動を加えた結果、密閉容器７を構成するプラスチックラミネートフィルムの保護部材８が接触している部分から、加えた振動と相関が強い振動が検出されたことから、密閉容器７を構成するプラスチックラミネートフィルムの頭部５が接触している部分、頭部５、針部４、先端６、保護部材８が連続していることから、気体難透過性容器３に貫通孔が生じていることが確認できる。ここで、測定にかかった時間は１５秒であった。
【００６７】
次に、密閉容器７内の圧力を差圧法により測定したところ、０．１Ｐａであった。従って、気体吸着材２が密閉容器７内の空気を吸着していることが判る。この状態で、医薬品保管部９内に医薬品等を保存することにより、気体を吸着することによる劣化を抑制することができる。
【００６８】
ここで差圧法とは、柔軟性を有する密閉容器７の周囲を減圧し、密閉容器７内外の圧力差により密閉容器７が膨張するため、その変位開始圧力を測定することにより圧力を評価する方法である。
【００６９】
しかし、差圧法では、０．１Ｐａもの低圧力を測定するには、１５分の時間を要した。また、測定には密閉容器７を収容可能なチャンバー、ポンプ、変位センサが必要であり、簡易な評価とは言えない。
【００７０】
本実施の形態によると、気体吸着デバイス適用物品の中に設置した気体吸着デバイス１の気体難透過性容器３の貫通孔の形成を容易に判断することができる。従って、気体吸着デバイス適用物品を量産する場合などで、気体難透過性容器３の貫通孔の形成を簡易に、短時間で、かつ安価に確認することができる。これにより、気体吸着デバイス適用物品を安価に得る事ができる。
【００７１】
ここで、気体吸着材２とは、気体中に含まれる非凝縮性気体を吸着できるものであり、物理吸着、化学吸着のいずれにより吸着するものを用いることが可能である。また、アルカリ金属やアルカリ土類金属の酸化物や、アルカリ金属やアルカリ土類金属の水酸化物等が利用でき、特に、酸化リチウム、水酸化リチウム、酸化バリウム、水酸化バリウム等がある。
【００７２】
気体難透過性容器３とは、気体透過度が小さく、内部への気体の侵入を抑制できるものである。気体吸着デバイス１に適用するため、望ましくは柔軟性を有しており、外部から力が加わると容易に変形して破断しないが、先端が尖った部材により集中的な力が加わった場合には貫通孔が成形される性質を有するものであれば良い。
【００７３】
気体難透過性容器３の気体透過度は１０４［ｃｍ３／ｍ２・ｄａｙ・ａｔｍ］以下のものであり望ましくは１０３［ｃｍ３／ｍ２・ｄａｙ・ａｔｍ］以下のもの、さらに望ましくは１０２［ｃｍ３／ｍ２・ｄａｙ・ａｔｍ］以下のものである。
【００７４】
気体難透過性容器３に用いる材質は特に指定するものではないが、気体遮断性やコストから、総合的に判断し、アルミニウムが主成分である金属またはアルミニウムの箔の層を有するプラスチックラミネートフィルムであることが望ましい。
【００７５】
密閉容器７とは、気体透過度が小さく、内部への気体の侵入を抑制できるものである。気体吸着デバイス適用物品に適用するため、望ましくは柔軟性を有しており、外部から力が加わると容易に変形して破断しないものであれば良い。
【００７６】
密閉容器７の気体透過度は１０４［ｃｍ３／ｍ２・ｄａｙ・ａｔｍ］以下のものであり、望ましくは１０３［ｃｍ３／ｍ２・ｄａｙ・ａｔｍ］以下のもの、さらに望ましくは１０２［ｃｍ３／ｍ２・ｄａｙ・ａｔｍ］以下のものである。
【００７７】
密閉容器７を形成するものはプラスチックラミネートフィルムに限るものではなく、気体遮断性に優れた金属板等を用いることもできる。
【００７８】
針部４とは、一方が長い物体であり、一端に加わった応力を、もう一方の端に伝達することができるものであり、気体難透過性容器３に貫通孔を形成するために十分な硬度を有しており、気体難透過性容器３の開封を確認するため、密閉容器７外から加えた振動の伝播を妨害しないものであれば良く、銅などの金属、セラミックス、構造材料に用いることが可能な硬質の樹脂であっても良い。
【００７９】
頭部５とは、針部４の一端に付属しているものであり、平面状になっていることにより応力を分散し、より小さい圧力で針部４に大きな力を加えることができる構造になっているものであり、外部から加えられた力を針部４へ伝えるために十分な硬度を有しており、気体難透過性容器３の開封を確認するため、密閉容器７外から加えた振動の伝播を妨害しないものであれば良く、銅などの金属、セラミックス、構造材料に用いることが可能な硬質の樹脂であっても良い。
【００８０】
先端６とは、針部４の頭部５とは他方の一端に付属しているものであり、針部４に加えられた力を集中することにより、より小さい力を加えただけで大きな貫通力をえることができるものであり、気体難透過性容器３に貫通孔をあけるために十分な硬度を有しており、気体難透過性容器３の開封を確認するため、密閉容器７外から加えた振動の伝播を妨害しないものであれば良く、銅などの金属、セラミックス、構造材料に用いることが可能な硬質の樹脂であっても良い。
【００８１】
保護部材８とは、気体難透過性容器３を貫通した針部４が密閉容器７に損傷を与えないようにするための部材であり、針部４の先端６による突き刺し力により密閉容器７に貫通孔が成形されず、密閉容器７に伝わる単位面積あたりの突き刺し力を弱められるものであれば良く、密閉容器７内の空間を大きくするため、薄いことが望ましい。
【００８２】
医薬品保管部とは、密閉容器７を構成する部材が容易に変形するプラスチックラミネートフィルムなどであっても大気圧により変形して空間が閉塞しまわないようにするものであり、大気圧が加わっても変形が小さいものであれば良く、鉄などの金属、セラミックス、構造材料として用いることが可能な硬質のプラスチックであっても良い。
【００８３】
気体吸着デバイス適用物品とは、密閉容器７内に気体吸着デバイス１を設置し、内部の気体を低減し、医薬品や空気に触れると劣化する実験材料などの保存時の劣化を抑えることを可能とするものである。
【００８４】
以下、各条件を変化させた場合の実施例に関して説明する。
【実施例】
【００８５】
実施例において、密閉容器７を構成するプラスチックラミネートフィルムは、最外層が厚さ２５μｍのナイロンフィルム、中間層が厚さ６ｍｍのアルミニウム箔、最内層が厚さ５０μｍの低密度ポリエチレンフィルムからなる積層体を使用した。
【００８６】
気体吸着材２として、平均二次粒径が１０μｍのＣｕＺＳＭ−５を使用した。気体難透過性容器３を構成するプラスチックラミネートフィルムは、最外層が厚さ２５μｍのポリ
エチレンテレフタレートフィルム、中間層が厚さ６ｍｍのアルミニウム箔、最内層が厚さ５０μｍの低密度ポリエチレンフィルムからなる積層体を使用した。
【００８７】
開封手段は鉄製で、針部４は長さは５ｍｍ、頭部は厚さ１ｍｍ直径８ｍｍの円形のものを使用した。保護部材８は鉄製であり、厚さ１ｍｍ、直径１０ｍｍのものを使用した。気体吸着材２を封入した気体難透過性容器３の厚さは３．５ｍｍであった。医薬品保管部９として厚さ１ｍｍの鉄板で作製した３０ｍｍ×３０ｍｍ×５ｍｍの６面体の３０ｍｍ×５ｍｍの一辺が開口している形状のものを使用した。
【００８８】
評価は、ピエゾ素子とピックアップ素子を用いて行い、ピエゾ素子にて５０００Ｈｚの振動を発し、ピックアップ素子により振動を検出することにより行った。本実施例においては、５０００Ｈｚを用いたが、これにより限定されるものではない。
【００８９】
まず、ピエゾ素子とピックアップ素子とが直接接している場合、即ち伝導による減衰がゼロの場合、検出された振動は、−２８デシベルであった。
【００９０】
次に、気体吸着デバイス１による減衰を把握するため、気体吸着デバイス１を密閉容器７に入れずに、気体吸着デバイス１を構成する気体難透過性容器３の一面にピエゾ素子を接触させ、反対面にピックアップ素子を接触させると、−５４デシベルの振動が検出された。
【００９１】
続いて、構成された気体吸着デバイス適用物品の評価結果を説明する。
【００９２】
まず、密閉容器７の頭部５側が接触している箇所に、ピエゾ素子を接触させて頭部５の面方向に対して垂直方向の振動を加え、密閉容器７の保護部材８が接触している箇所にピックアップ素子を接触させると、−５８デシベルの振動が検出された。
【００９３】
気体難透過性容器３に貫通孔が無い場合は、気体難透過性容器３の一面にピエゾ素子を接触させ、反対面にピックアップ素子を接触させた場合とほぼ同等の振動強度が検出されることが判った。
【００９４】
次に、密閉容器７の頭部５が接触している部分と保護部材８が接触している部分を互いに距離が近くなる方向に、１０Ｎの力を加えると、頭部５と保護部材８の距離が近くなり、先端６が保護部材８に接触したところで止まった。この状態で、ピエゾ素子を密閉容器７の頭部５が接触している部分に接触させて、頭部５及び保護部材８の面方向に対して垂直方向の振動を加え、密閉容器７の保護部材８が接触している部分にピックアップ素子を接触させると−３２デシベルの振動が検出された。
【００９５】
ここで、密閉容器７を構成するプラスチックラミネートフィルムを解体して気体難透過性容器３を取り出すと、気体難透過性容器３の面のうち、予め針部４が接触していた側に貫通孔が確かに形成されていることが確認できた。更に、気体難透過性容器３を解体すると、針部４の先端６は、気体難透過性容器３が保護部材８と接触している部分の内側で接触していることが判った。
【００９６】
気体難透過性容器３に貫通孔が生じている場合、伝播する振動の強度（−３２デシベル）は、ピエゾ素子とピックアップ素子を直接接触させた場合（−２８デシベル）に近い振動強度が検出されることが判った。
【００９７】
さらに、密閉容器７の頭部５が接触している部分と保護部材８が接触している部分を互いに距離が近くなる方向に、０．１Ｎ力を加えたもので、ピエゾ素子を密閉容器７の頭部
５が接触している部分に接触させて、頭部５及び保護部材８の面方向に対して垂直方向の振動を加え、密閉容器７の保護部材８が接触している部分にピックアップ素子を接触させると−５８デシベルの振動が検出された。
【００９８】
これもまた、密閉容器７を構成するプラスチックラミネートフィルムを解体して気体難透過性容器３を取り出すと、気体難透過性容器３に貫通孔が形成されていないことが確認できた。
【００９９】
気体難透過性容器３に貫通孔が無い場合は、気体難透過性容器３の一面にピエゾ素子を接触させ、反対面にピックアップ素子を接触させた場合とほぼ同等の振動強度が検出されることが判った。
【０１００】
振動強度の測定結果を（表１）に示す。
【０１０１】
【表１】
2012188126.tif 000003
以上の結果から、気体難透過性容器３に貫通孔がある場合と、無い場合とで、伝播する振動の強度が大きく異なり、容易に貫通孔の有無を判断できることがわかる。これは、針部４の先端が保護部材８に接触している場合と、接触していない場合で、振動が伝わる経路の長さにより、振動の減衰が異なるからである。
【０１０２】
その結果、気体吸着材２を密封した気体難透過性容器３に確実に貫通孔を形成できたことを確認できるため、僅かな気体であっても劣化してしまう医薬品、食品、試料等の劣化を低く抑えて保存することができる。
【産業上の利用可能性】
【０１０３】
本発明にかかる気体吸着デバイス適用物品は、気体難透過性容器の開封の判断を容易に行うことができるものであり、医薬品や実験材料等、僅かな酸素や窒素などの気体に曝されても劣化するものを保存する用途に適している。
【符号の説明】
【０１０４】
１    気体吸着デバイス
２    気体吸着材
３    気体難透過性容器
４    針部
５    頭部
６    先端
７    密閉容器
８    保護部材
１０  医薬品保管容器
【図１】
2012188126.tif 000004
【図２】
2012188126.tif 000005